【手続補正書】
【提出日】平成28年8月9日(2016.8.9)
【手続補正１】
【補正対象書類名】特許請求の範囲
【補正対象項目名】全文
【補正方法】変更
【補正の内容】
【特許請求の範囲】
【請求項１】
顧客構内設備（ＣＰＥ）装置において、
前記ＣＰＥ装置との通信に影響する雑音に関する情報を収集し、周波数と時間と永続性との次元にしたがって前記雑音を分類する、モデムチップセットによって実現される組込み雑音分析エンジンを具備し、
前記雑音は、狭帯域干渉源と広帯域干渉源とからなるグループからの１つとして分類され、インパルス性と連続とからなるグループからの１つとしてさらに分類され、
前記組込み雑音分析エンジンは、前記分類された雑音の出現と消滅とをさらに追跡し、前記永続性次元での前記分類は、永久的と間欠的と徐々に変化とからなるグループからの１つとして前記雑音を分類することをさらに含むＣＰＥ装置。
【請求項２】
前記組込み雑音分析エンジンは、前記通信に影響する複数の雑音源のうちの１つとしての前記雑音の構成の記述構造を備える出力をさらに作る請求項１記載のＣＰＥ装置。
【請求項３】
前記組込み雑音分析エンジンは、雑音源のそれぞれの存在に関係する１５分カウンタレポートを備える出力をさらに作る請求項１記載のＣＰＥ装置。
【請求項４】
前記通信は、ＤＳＬ伝送システムを備える請求項１記載のＣＰＥ装置。
【請求項５】
前記通信は、Ｍｕｌｔｉ−Ｍｅｄｉａ  ｏｖｅｒ  ＣＯＡＸ、ＨＰＮＡ、ＩＥＥＥ  Ｐ１９０１、ＨＰＡＶ、ＩＴＵ−Ｔ  Ｇ．ｈｎのうちの１つである有線伝送システムを備える請求項１記載のＣＰＥ装置。
【請求項６】
前記組込み雑音分析エンジンは、前記分類に基づいて、組込み雑音シグネチャデータベースを維持する請求項１記載のＣＰＥ装置。
【請求項７】
前記通信は、シンボルレートで送信される数千個のシンボルに対応する時間期間の間、前記シンボルレートで送信されるシンボルを使用して実行される請求項１記載のＣＰＥ装置。
【請求項８】
前記１５分カウンタレポートは、前記雑音源のそれぞれの影響の持続時間に関する情報を含む請求項３記載のＣＰＥ装置。
【請求項９】
前記組込み雑音シグネチャデータベースは、前記雑音について毎秒更新される請求項６記載のＣＰＥ装置。
【請求項１０】
前記組込み雑音シグネチャデータベースの内容全体は、非同期にまたは周期的に更新される請求項６記載のＣＰＥ装置。
【請求項１１】
前記シンボルレートは、約４ｋＨＺであり、所定の時間期間は、約１５分である請求項７記載のＣＰＥ装置。
【請求項１２】
前記雑音源の前記影響の前記持続時間情報は、各１分インターバルにわたる前記雑音源のヒットの個数をカウントする１分カウンタを含む請求項８記載のＣＰＥ装置。
【請求項１３】
前記個々の雑音源の前記影響の前記持続時間情報は、１分インターバルにわたって、前記雑音源が存在すると宣言される秒の数をカウントする１分カウンタを含む請求項８記載のＣＰＥ装置。
【請求項１４】
顧客構内設備（ＣＰＥ）装置において実現される、雑音を分類する方法において、
前記ＣＰＥ装置との通信に影響する雑音に関する情報を検出し、周波数と時間と永続性との次元にしたがって前記雑音を分類することと、
前記雑音を、狭帯域干渉源と広帯域干渉源とからなるグループからの１つとして、および、インパルス性と連続とからなるグループからの１つとして、分類することと、
前記分類された雑音の出現と消滅とを追跡することとを含み、
前記永続性次元での前記分類は、永久的と間欠的と徐々に変化とからなるグループからの１つとして前記雑音を分類することをさらに含む方法。
【請求項１５】
前記雑音は、回線雑音であり、データは、回線雑音プリミティブを含む請求項１４記載の方法。
【請求項１６】
前記雑音は、インパルス雑音であり、データは、インパルス雑音プリミティブを含む請求項１４記載の方法。
【請求項１７】
前記雑音に関する情報は、ＩＮＭヒストグラムと、回線参照雑音と、スライス化されたシンボルエラーと、Ｇ．ｐｌｏａｍカウンタとを備えるＰＨＹプリミティブを含む請求項１４記載の方法。
【請求項１８】
前記ＣＰＥ装置によって、回線上の前記雑音の永続性を決定することをさらに含み、
前記永続性は、所定の時間ウィンドウにおける前記雑音の存在と前記所定の時間ウィンドウにおいて前記雑音の特性がどのように変化するかとからなるグループからの１つの測定を含み、
前記通信は、シンボルレートで送信されるシンボルを使用して実行され、
前記所定の時間ウィンドウは、前記シンボルレートで送信される数千個のシンボルに対応する期間である請求項１４記載の方法。
【請求項１９】
前記シンボルレートは、約４ｋＨＺであり、所定の時間期間は、約１５分である請求項１８記載の方法。
【手続補正２】
【補正対象書類名】明細書
【補正対象項目名】０３４８
【補正方法】変更
【補正の内容】
【０３４８】
本発明が、その好ましい実施形態を参照して詳しく説明されたが、形態および詳細における変更および修正が、本発明の趣旨および範囲から逸脱せずに行われ得ることが、当業者には明白であるに違いない。添付の特許請求の範囲が、そのような変更と修正とを包含することが意図されている。
以下に、本願出願の当初の特許請求の範囲に記載された発明を付記する。
［１］  顧客構内設備（ＣＰＥ）装置であって、
前記ＣＰＥ装置との通信に影響する雑音に関する情報を収集し、周波数と時間と永続性との次元に従って前記雑音を分類する、モデムチップセットによって実施される組込み雑音分析エンジン
を備えるＣＰＥ装置。
［２］  前記雑音は、狭帯域干渉源と広帯域干渉源とのうちの１つとして分類され、インパルス性と連続とのうちの１つとしてさらに分類される、［１］に記載のＣＰＥ装置。
［３］  前記通信は、ＤＳＬ伝送システムを備える、［２］に記載のＣＰＥ装置。
［４］  前記通信は、Ｍｕｌｔｉ−Ｍｅｄｉａ  ｏｖｅｒ  ＣＯＡＸ、ＨＰＮＡ、ＩＥＥＥ  Ｐ１９０１、ＨＰＡＶ、ＩＴＵ−Ｔ  Ｇ．ｈｎのうちの１つである有線伝送システムを備える、［２］に記載のＣＰＥ装置。
［５］  前記組込み雑音分析エンジンは、前記分類された雑音の出現と消滅とをさらに追跡し、前記永続性次元での前記分類は、永久的と間欠的と徐々に変化とのうちの１つとして前記雑音を分類することをさらに含む、［２］に記載のＣＰＥ装置。
［６］  前記組込み雑音分析エンジンは、前記通信に影響する複数の雑音源のうちの１つとしての前記雑音の構成の記述構造を備える出力をさらに作る、［５］に記載のＣＰＥ装置。
［７］  前記組込み雑音分析エンジンは、前記雑音源のそれぞれの存在に関連する１５分カウンタレポートを備える出力をさらに作る、［５］に記載のＣＰＥ装置。
［８］  前記１５分カウンタレポートは、前記雑音源のそれぞれの影響の持続時間に関する情報を含む、［７］に記載のＣＰＥ装置。
［９］  前記雑音源の前記影響の前記持続時間情報は、各１分インターバルにわたる前記雑音源のヒットの個数をカウントする１分カウンタを含む、［８］に記載のＣＰＥ装置。
［１０］  前記個々の雑音源の前記影響の前記持続時間情報は、前記雑音源がその間に１分インターバルにわたって存在すると宣言される秒の数をカウントする１分カウンタを含む、［８］に記載のＣＰＥ装置。
［１１］  前記組込み雑音分析エンジンは、前記分類に基づいて組込み雑音シグネチャデータベースを維持する、［１］に記載のＣＰＥ装置。
［１２］  前記組込み雑音シグネチャデータベースは、前記雑音について毎秒更新される、［１１］に記載のＣＰＥ装置。
［１３］  前記組込み雑音シグネチャデータベースの内容全体は、非同期にまたは周期的に更新される、［１１］に記載のＣＰＥ装置。
［１４］  通信に影響する雑音に関するデータを集めることと、
前記集められたデータを使用して前記雑音を検出することと、
前記雑音の永続性を判定することと、
前記雑音のシグネチャを判定することと、
前記雑音のレポートをログ記録することと
を備える、雑音を分類する方法。
［１５］  前記雑音は、回線雑音であり、前記データは、回線雑音プリミティブを含む、［１４］に記載の方法。
［１６］  前記雑音は、インパルス雑音であり、前記データは、インパルス雑音プリミティブを含む、［１４］に記載の方法。
［１７］  前記集められたデータは、ＩＮＭヒストグラムと、回線参照雑音と、スライス化されたシンボルエラーと、Ｇ．ｐｌｏａｍカウンタとを備える、［１４］に記載の方法。
［１８］  顧客構内設備（ＣＰＥ）装置であって、
前記ＣＰＥ装置との通信に影響する雑音事象に関する情報を収集し、前記雑音事象を雑音シグネチャの内部データベースに相関させる、モデムチップセットによって実施される組込み雑音分析エンジン
を備えるＣＰＥ装置。
［１９］  前記相関は、前記雑音事象の主シグネチャに基づいてファジイ／比較論理を使用して実行され、前記主シグネチャは、中心周波数と、帯域幅と、インパルス反復レートとを備える、［１８］に記載のＣＰＥ装置。
［２０］  前記相関は、雑音の副シグネチャに基づいてファジイ／比較論理を使用して実行され、前記副シグネチャは、基礎になるパルスレートを含む、［１８］に記載のＣＰＥ装置。
［２１］  前記相関は、タイミング情報に基づいてファジイ／比較論理を使用して実行され、前記タイミング情報は、前記雑音事象の出現または消滅の時刻を含む、［１８］に記載のＣＰＥ装置。
［２２］  ＣＰＥ装置との通信に影響する雑音の１５分レコードを作る、前記ＣＰＥ装置内の雑音モニタアプリケーションと、
前記レコードを受信し、前記雑音の相関を実行するクラウドベースのアプリケーションと
を備えるシステム。
［２３］  前記相関は、単一のＣＰＥ装置について時間にまたがって実行される、［２２］に記載のシステム。
［２４］  雑音データベースをさらに備え、前記相関は、２４時間ウィンドウにまたがって前記データベース内の前記雑音の一意識別子ＩＤに基づいて実行される、［２３］に記載のシステム。
［２５］  雑音データベースをさらに備え、前記相関は、前記データベース内の前記雑音の共通合成雑音識別子に基づいて実行される、［２３］に記載のシステム。
［２６］  前記相関は、雑音の主シグネチャに基づいてファジイ／比較論理を使用して実行され、前記主シグネチャは、中心周波数と、帯域幅と、インパルス反復レートとを備える、［２３］に記載のシステム。
［２７］  前記相関は、雑音の副シグネチャに基づいてファジイ論理を使用して実行され、前記副シグネチャは、基礎になるパルスレートを備える、［２３］に記載のシステム。
［２８］  前記相関は、タイミング情報に基づいてファジイ／比較論理を使用して実行され、前記タイミング情報は、前記雑音に関連する１分あたりヒットカウンタまたは持続時間カウンタを含む、［２３］に記載のシステム。
［２９］  前記相関は、複数のＣＰＥ装置にまたがって実行される、［２２］に記載のシステム。
［３０］  前記相関は、前記雑音の主シグネチャに基づいてファジイ／比較論理を使用して実行され、前記主シグネチャは、中心周波数と、帯域幅と、インパルス反復レートとを備える、［２９］に記載のシステム。
［３１］  前記相関は、雑音の副シグネチャに基づいてファジイ論理を使用して実行され、前記副シグネチャは、基礎になるパルスレートを含む、［２９］に記載のシステム。
［３２］  前記相関は、タイミング情報に基づいてファジイ／比較論理を使用して実行され、前記タイミング情報は、前記雑音に関連する１分あたりヒットカウンタまたは持続時間カウンタを備える、［２９］に記載のシステム。
［３３］  前記タイミング情報は、前記１分あたりヒットカウンタまたは前記持続時間カウンタと、前記ＣＰＥ装置によって作成された前記雑音の前記１５分レコードに関連するタイムスタンプとから導出される、［３２］に記載のシステム。
［３４］  前記相関は、既知の外部の人間によって作られた事象または環境事象に対して実行される、［３２］に記載のシステム。
［３５］  前記相関は、外部情報を使用して実行され、前記外部情報は、ケーブルバインダ情報または空間位置を備える、［２９］に記載のシステム。
［３６］  実際の雑音源のデータベースをさらに備え、前記相関は、前記データベースに対して実行される、［２２］に記載のシステム。
［３７］  前記相関は、前記雑音の主シグネチャに基づいてファジイ／比較論理を使用して実行され、前記主シグネチャは、中心周波数と、帯域幅と、インパルス反復レートとを備える、［３６］に記載のシステム。
［３８］  前記相関は、雑音の副シグネチャに基づいてファジイ論理を使用して実行され、前記副シグネチャは、基礎になるパルスレートを含む、［３６］に記載のシステム。
［３９］  前記相関は、タイミング情報に基づいてファジイ／比較論理を使用して実行され、前記タイミング情報は、前記雑音に関連する１分あたりヒットカウンタまたは持続時間カウンタを含む、［３６］に記載のシステム。
［４０］  前記タイミング情報は、前記１分あたりヒットカウンタまたは前記持続時間カウンタと、前記ＣＰＥ装置によって作成された前記雑音の前記１５分レコードに関連するタイムスタンプとから導出される、［３９］に記載のシステム。
［４１］  前記相関は、既知の外部の人間によって作られた事象または環境事象に対して実行される、［３６］に記載のシステム。
［４２］  前記相関は、外部情報を使用して実行され、前記外部情報は、環境情報または空間位置情報を備える、［３６］に記載のシステム。
［４３］  顧客構内設備（ＣＰＥ）装置であって、
前記ＣＰＥ装置との通信に影響する雑音事象に関する情報を収集し、前記情報に基づいて前記雑音事象の連続雑音メトリックとインパルス雑音メトリックとのうちの１つを作成する、モデムチップセットによって実施される組込み雑音分析エンジン
を備えるＣＰＥ装置。
［４４］  前記１つのメトリックは、毎秒計算される、［４３］に記載のＣＰＥ装置。
［４５］  前記連続雑音メトリックは、前記情報内のインパルス雑音の影響を受けるデータを破棄することによって計算される、［４３］に記載のＣＰＥ装置。
［４６］  前記インパルス雑音メトリックは、前記情報内の連続雑音の影響を受けるデータを破棄することによって計算される、［４３］に記載のＣＰＥ装置。
［４７］  インパルス雑音ディテクタをさらに備え、インパルス雑音は、連続雑音に関連するパラメータを導出することによって、前記インパルス雑音ディテクタによって検出される、［４３］に記載のＣＰＥ装置。
［４８］  前記１つのメトリックは、前記影響を受ける通信のデータシンボルに基づいて計算される、［４３］に記載のＣＰＥ装置。
［４９］  前記１つのメトリックは、前記影響を受ける通信の同期シンボルに基づいて計算される、［４３］に記載のＣＰＥ装置。
［５０］  前記１つのメトリックは、前記影響を受ける通信のクワイエットシンボル（quiet symbol）に基づいて計算される、［４３］に記載のＣＰＥ装置。
［５１］  前記連続雑音メトリックは、前記収集された情報内の周波数領域サンプルの電力の平均値に基づいて計算される、［４３］に記載のＣＰＥ装置。
［５２］  前記連続雑音メトリックは、前記収集された情報内の周波数領域サンプルのモーメントの平均値に基づいて計算される、［４３］に記載のＣＰＥ装置。
［５３］  前記連続雑音メトリックは、前記収集された情報内の周波数領域サンプルの推定されたクラウンレシオに基づいて計算される、［４３］に記載のＣＰＥ装置。
［５４］  前記インパルス雑音メトリックは、前記収集された情報内の周波数領域サンプルの電力の平均値に基づいて計算される、［４３］に記載のＣＰＥ装置。
［５５］  前記インパルス雑音メトリックは、前記収集された情報内の周波数領域サンプルのモーメントの平均値に基づいて計算される、［４３］に記載のＣＰＥ装置。
［５６］  前記インパルス雑音メトリックは、前記周波数領域サンプルの帯域あたり平均値、サブバンドあたり平均値、または集計平均値に基づいて計算される、［５３］に記載のＣＰＥ装置。
［５７］  前記インパルス雑音メトリックは、前記収集された情報内のインパルス長ヒストグラムまたはインパルス到着間間隔ヒストグラムに基づいて計算される、［４３］に記載のＣＰＥ装置。
［５８］  前記インパルス雑音メトリックは、１秒インターバルにわたる前記影響を受ける通信のインパルスによって影響されるシンボルを記録する配列に基づいて計算される、［４４］に記載のＣＰＥ装置。
［５９］  インパルスによって影響されるシンボルの前記記録された配列は、事前定義のパターンと照合される、［５８］に記載のＣＰＥ装置。
［６０］  前記インパルス雑音メトリックは、時間領域ディテクタ出力に基づいて計算される、［４３］に記載のＣＰＥ装置。
［６１］  前記１つのメトリックは、前記影響を受ける通信からの時間領域シンボルまたは周波数領域シンボルのサンプルからなる、［４３］に記載のＣＰＥ装置。
［６２］  前記１つのメトリックは、事前定義のパターンと照合される、［６１］に記載のＣＰＥ装置。
［６３］  前記平均値は、前記１つのメトリックを使用して検出されたインパルス雑音ごとに計算される、［５５］に記載のＣＰＥ装置。
［６４］  顧客構内設備（ＣＰＥ）装置であって、
前記ＣＰＥ装置との伝送回線がサービス中である間に雑音に関する情報を収集し、前記情報に基づいて前記雑音の分類を実行する、モデムチップセットによって実施される組込み雑音分析エンジン
を備えるＣＰＥ装置。
［６５］  前記雑音分析エンジンは、前記分類に基づいて前記雑音に関連する回線リトレインの理由に関して報告する、［６４］に記載のＣＰＥ装置。
［６６］  前記伝送回線は、ＤＳＬリンクを備え、前記雑音の前記分類は、前記ＤＳＬリンクの品質に対するその影響の推定を含む、［６４］に記載のＣＰＥ装置。
［６７］  前記影響の前記推定は、前記雑音の存在にわたって累積された集計エラーカウントを含む、［６６］に記載のＣＰＥ装置。
［６８］  前記影響の前記推定は、前記検出された雑音の重要な帯域内の推定されたマージン消失を含む、［６７］に記載のＣＰＥ装置。
［６９］  前記影響の前記推定は、集計チャネル容量推定値を含む、［６７］に記載のＣＰＥ装置。
［７０］  顧客構内設備（ＣＰＥ）装置であって、
前記ＣＰＥ装置との伝送回線がサービス中ではない間に雑音に関する情報を収集し、前記情報に基づいて前記雑音の分類を実行する、モデムチップセットによって実施される組込み雑音分析エンジン
を備えるＣＰＥ装置。
［７１］  前記情報は、伝送回線がサービス中である間に情報が収集されるレートと同一であるレートで収集される、［７０］に記載のＣＰＥ装置。
［７２］  前記収集される情報は、インパルスデータを含み、前記組込み雑音分析エンジンは、以前に取り込まれたか既知の基準データに対して前記インパルスデータを相関させることによって分類を実行する、［７０］に記載のＣＰＥ装置。
［７３］  前記相関させることは、事前に定義されたインパルス雑音カテゴリへの前記インパルスデータの分類を可能にする、［７２］に記載のＣＰＥ装置。
［７４］  前記組込み雑音分析エンジンは、それぞれが前記雑音の雑音成分として分類される、複数の雑音源のそれぞれの存在に関連するレポートをさらに提供する、［７０］に記載のＣＰＥ装置。
［７５］  顧客構内設備（ＣＰＥ）装置であって、
前記ＣＰＥ装置との伝送回線がサービス中である間に配線事象に関する情報を収集し、前記情報に基づいて前記配線事象の分類を実行する、モデムチップセットによって実施される組込み分析エンジン
を備えるＣＰＥ装置。
［７６］  前記組込み分析エンジンは、前記分類に基づいて前記配線事象に関連する回線リトレインの理由に関して報告する、［７５］に記載のＣＰＥ装置。
［７７］  前記伝送回線は、ＤＳＬリンクを備え、前記配線事象の前記分類は、前記ＤＳＬリンクの品質に対するその影響の推定を含む、［７５］に記載のＣＰＥ装置。
［７８］  前記影響の前記推定は、前記配線事象の持続時間にわたって累積された集計エラーカウントを含む、［７７］に記載のＣＰＥ装置。
［７９］  前記影響の前記推定は、前記検出された配線事象の重要な帯域内の推定されたマージン消失を含む、［７８］に記載のＣＰＥ装置。
［８０］  前記影響の前記推定は、集計チャネル容量推定値を含む、［７８］に記載のＣＰＥ装置。
［８１］  前記分類は、１５分レポート内で報告される、［７８］に記載のＣＰＥ装置。
［８２］  前記１５分カウンタレポートは、前記配線事象に関連する１分あたりヒットと持続時間とを含む、［８１］に記載のＣＰＥ装置。
［８３］  前記１５分カウンタレポートは、前記配線事象の前記影響に関する情報を含む、［８１］に記載のＣＰＥ装置。
［８４］  前記組込み分析エンジンは、スタートアップの間の前記配線の徐々の変化をさらに監視する、［７８］に記載のＣＰＥ装置。
［８５］  前記収集される情報は、ＨＬＯＧ、ＨＬＩＮ、帯域あたりのＳＡＴＮ、エコー電力、ＲＸ電力のうちの１つを備える、［７８］に記載のＣＰＥ装置。
［８６］  前記組込み分析エンジンは、前記収集される情報を毎秒計算する、［７８］に記載のＣＰＥ装置。
［８７］  顧客構内設備（ＣＰＥ）装置であって、
前記ＣＰＥ装置との通信に影響する雑音に関する情報を収集し、前記情報に基づいて前記雑音の分類を実行する、モデムチップセットによって実施される組込み雑音分析エンジンと、
前記ＣＰＥ装置との伝送回線がサービス中である間に配線事象に関する情報を収集し、前記情報に基づいて前記配線事象の分類を実行する、前記モデムチップセットによって実施される組込み配線分析エンジンと
を備えるＣＰＥ装置。
［８８］  前記分析エンジンは、分類された雑音事象と分類された配線事象とに基づいてリトレインプロファイリングを判定するためにさらに相互作用する、［８７］に記載のＣＰＥ装置。